(57)【特許請求の範囲】
【請求項１】
年を数字で表示する年表示と、月を数字で表示する月表示と、１から月の最終日までの日を数字で表示する日表示と、を有し、
前記日表示は、正５角形の頂点を中心とする円弧を有する５個の同一寸法の円弧図形を有し、一の円弧図形は隣接する他の２個の円弧図形と接し、５個の円弧図形の内周又は外周に沿って、日を表す数字が順番に連続して表示され、
表示基材に表示されるように構成されたカレンダー。
【請求項２】
１個の前記円弧図形において、１週間分の日表示の数字が表示され、日曜日に該当する数字から始まり土曜日に該当する数字で終わるように表示された請求項１に記載するカレンダー。
【請求項３】
隣接する２個の前記円弧図形において、一の円弧図形に表示された土曜日に該当する数字と、他の円弧図形に表示された日曜日に該当する数字とは隣接する請求項２に記載するカレンダー。
【請求項４】
前記表示基材に時計を備えた請求項１〜３のいずれかに記載するカレンダー。
【請求項５】
前記５個の円弧図形は連続する請求項１〜４のいずれかに記載するカレンダー。
【請求項６】
前記表示基材は、画像表示装置の画面である請求項１〜５のいずれかに記載するカレンダー。
【請求項７】
前記表示基材は、塊状部材又はシート状部材である請求項１〜５のいずれかに記載するカレンダー。
【発明の詳細な説明】
【技術分野】
【０００１】
本願発明は、年月日を表示するカレンダーに関する。
【背景技術】
【０００２】
従来から、種々のカレンダーが使用されている。通常のカレンダーは、１週間分の日表示が横に配列された配列群が、縦に複数行並んで構成されている。通常のカレンダーは、複数の配列群の中から日表示を読み取るように構成されている。しかし、日表示の読み取りが容易なカレンダーが望まれている。なお、スケジュールを把握しやすくすることを目的としたカレンダーの特許文献が存在する（特許文献１参照）。しかし、本願発明に関連するものではない。
【先行技術文献】
【特許文献】
【０００３】
【特許文献１】特許第６１７９９２９号公報
【発明の概要】
【発明が解決しようとする課題】
【０００４】
本願発明は、日表示の読み取りが容易なカレンダーを提供することを目的とする。
【課題を解決するための手段】
【０００５】
本願発明のカレンダーは、年を数字で表示する年表示と、月を数字で表示する月表示と、１から月の最終日までの日を数字で表示する日表示と、を有し、
前記日表示は、正５角形の頂点を中心とする円弧を有する５個の同一寸法の円弧図形を有し、一の円弧図形は隣接する他の２個の円弧図形と接し、５個の円弧図形の内周又は外周に沿って、日を表す数字が順番に連続して表示され、表示基材に表示されるように構成されたことを特徴とする。
【０００６】
本願明細書及び特許請求の範囲において、正５角形の頂点を中心とする円弧とは、正５角形の頂点を中心とする円の一部を言う。円弧図形とは、その円の一部を含む図形を言う。
【０００７】
本願発明のカレンダーは、前記カレンダーにおいて、１個の前記円弧図形において、１週間分の日表示の数字が表示され、日曜日に該当する数字から始まり土曜日に該当する数字で終わるように表示されたことを特徴とする。
【０００８】
本願発明のカレンダーは、前記カレンダーにおいて、隣接する２個の前記円弧図形において、一の円弧図形に表示された土曜日に該当する数字と、他の円弧図形に表示された日曜日に該当する数字とは隣接することを特徴とする。
【０００９】
本願発明のカレンダーは、前記カレンダーにおいて、前記表示基材に時計を備えたことを特徴とする。
【００１０】
本願発明のカレンダーは、前記カレンダーにおいて、前記５個の円弧図形は連続することを特徴とする。
【００１１】
本願発明のカレンダーは、前記カレンダーにおいて、前記表示基材は、画像表示装置の画面であることを特徴とする。
【００１２】
本願発明のカレンダーは、前記カレンダーにおいて、前記表示基材は、塊状部材又はシート状部材であることを特徴とする。
【００１３】
本願明細書及び特許請求の範囲において、画像表示装置とは、携帯電話、携帯端末、ＰＣ（パーソナルコンピューター）、ゲーム機、又は電子看板等を言う。また、塊状部材とは、箱状部材又は板状部材等を言う。また、シート状部材とは、フィルム、紙又はシール等を言う。
【発明の効果】
【００１４】
本願発明のカレンダーによれば、一の円弧図形は隣接する他の２個の円弧図形と接し、５個の円弧図形の内周又は外周に沿って、日を表す数字が順番に連続して表示されている。このため、月の最初の日表示である「１」から月の最後の日表示の数字まで、連続的に目で追っていくことができる。これにより、日表示の読み取りが容易である。また、時の流れを感じることができる。
【図面の簡単な説明】
【００１５】
【図１】本願発明のカレンダーを示す正面図である。
【図２】本願発明のカレンダーの他の実施を示す斜視図である。
【図３】本願発明のカレンダーの更に他の実施を示す斜視図である。
【発明を実施するための形態】
【００１６】
次に、本願発明に係るカレンダーの実施形態を図１に基づいて詳しく説明する。図１において、符号１０は本願発明に係るカレンダーである。
【００１７】
（構成）
（携帯端末の画面１６（表示基材））
カレンダー１０は、携帯電話（携帯端末）（図示しない）の画面１６に表示されるように構成されている。カレンダー１０は、携帯端末内のコンピュータにより作成され、表示される。
【００１８】
（年表示２２、月表示２４、日表示、円弧図形２８（１）〜２８（５））
カレンダー１０は、正面（表面）に、年を数字で表示する年表示２２と、月を数字で表示する月表示２４と、１から月の最終日までの日を数字で表示する日表示とを有する。年表示２２は、携帯端末内のコンピュータ内の年表示作成部により作成され、表示される。月表示２４は、携帯端末内のコンピュータ内の月表示作成部により作成され、表示される。日表示は、携帯端末内のコンピュータ内の日表示作成部により作成され、表示される。
【００１９】
日表示は、数字表示２６（１）〜２６（５）を有する。日表示は、例えば、２０２０年１２月を一例として説明すると、年表示２２が「２０２０」で、月表示２４が「１２」の場合、「１」から「３１」までを表示する。日表示は、正５角形の頂点を中心とする５個の同一寸法の円弧図形２８（１）、２８（２）、２８（３）、２８（４）及び２８（５）を有し、一の円弧図形は隣接する他の２個の円弧図形と接している。５個の円弧図形２８（１）〜２８（５）は、花びらの模式模様を表す。数字表示２６（１）及び円弧図形２８（１）は、第１週目を表し、数字表示２６（２）及び円弧図形２８（２）は、第２週目を表し、数字表示２６（３）及び円弧図形２８（３）は、第３週目を表し、数字表示２６（４）及び円弧図形２８（４）は、第４週目を表し、数字表示２６（５）及び円弧図形２８（５）は、第５週目を表す。１個の月表示に対して５個円弧図形を有するのは、１つの月は必ず５つの週を有するという５週の発想に基づく。
【００２０】
５個の円弧図形２８（１）〜２８（５）の色彩は特に限定されない。５個の円弧図形２８（１）〜２８（５）は、例えば、時計回りに、青色、黄色、黒色、緑色、赤色の順に色彩を有している。すなわち、円弧図形２８（１）は青色の色彩を有し、円弧図形２８（２）は黄色の色彩を有し、円弧図形２８（３）は黒色の色彩を有し、円弧図形２８（４）は緑色の色彩を有し、円弧図形２８（５）は赤色の色彩を有している。青色の円弧図形２８（１）の位置は、正面図において、上であることに限定されず、斜め上又は斜め下であってもよい。
【００２１】
数字表示２６（１）〜２６（５）において、日を表す数字が、５個の円弧図形の内周に沿って、１から小さい順に連続して表示されている。土曜日の数字は、青色の色彩を有し、日曜日の数字は、赤色の色彩を有している。土曜日及び日曜日以外の数字は、黒色の色彩を有している。各円弧図形２８（１）〜２８（５）内において、日曜日の数字を含む場合には、日曜日の数字から始まる。各円弧図形２８（１）〜２８（５）内において、土曜日の数字を含む場合には、土曜日の数字で終わる。各円弧図形２８（１）〜２８（５）内において、１週間分である７個以下の数字が、時計まわりに順番に表示されている。円弧図形２８（１）において、１から５の数字が、円弧図形２８（２）において、６から１２の数字が、円弧図形２８（３）において、１３から１９の数字が、円弧図形２８（４）において、２０から２６の数字が、円弧図形２８（５）において、２７から３１の数字が、各々、時計まわりに順番に表示されている。隣接する２個の円弧図形において、一の円弧図形に表示された土曜日に該当する数字と、他の円弧図形に表示された日曜日に該当する数字とは隣接する。これにより、１から月の最終日を示す数字までが、略同じ間隔でアナログ的に連続する。例えば、円弧図形２８（２）で表示する土曜日の「１２」と円弧図形２８（３）で表示する日曜日の「１３」とは隣接する。これにより、１から月の最終日の数字の３１までが、略等間隔で連続する。
【００２２】
（丸印３０）
数字表示２６（１）〜２６（５）の中のいずれかの数字は、現在の日であることを示す丸印３０で囲まれている。丸印３０は、携帯端末内のコンピュータ内の丸印作成部により作成され、表示される。現在の日が２０２０年１２月１５日である場合、数字表示２６（３）の中の「１５」が丸印で囲まれている。丸印３０の内側は、例えば、赤色で塗りつぶされてもよい。
【００２３】
（時計３２）
カレンダー１０は、５個の円弧図形２８（１）〜２８（５）に囲まれた時計３２を備える。時計３２は、携帯端末内のコンピュータ内の時計作成部により作成され、表示される。時計３２は、アナログ時計であるが、デジタル時計であってもよい。
【００２４】
（作用及び効果）
携帯電話の初期画面において、カレンダーを示すアイコンをタッチすることにより、画面１６に、年表示２２が年表示作成部により表示され、月表示２４が、月表示作成部により表示され、円弧図形２８（１）〜２８（５）を含む日表示が、表示される。また、時計３２が、時計作成部により表示される。また、現在の日であることを示す丸印３０が、丸印作成部により表示される。
【００２５】
本願発明のカレンダー１０によれば、一の円弧図形は隣接する他の２個の円弧図形と接し、５個の円弧図形２８（１）〜２８（５）の内周に沿って、日を表す数字が順番に連続して表示されている。このため、月の最初の日表示である「１」から月の最後の日表示である「３１」まで、連続的に目で追っていくことができる。これにより、日表示の読み取りが容易である。順番に連続して表示されている数字の流れにおいて、現在の日が何処であるかを、丸印３０によって認識できる。また、時の流れを感じることができる。また、現在の時刻を時計３２によって、同時に認識できる。
【００２６】
次に、本願発明に係るカレンダーの他の実施形態を図２に基づいて詳しく説明する。図２において、符号１０は本願発明に係るカレンダーである。
（構成）
（基台１６（表示基材））
図２のカレンダー１０は、基台１６に表示されるように構成されている。
【００２７】
（年表示２２、月表示２４、数字表示２６（１）〜２６（５）、円弧図形２８（１）〜２８（５））
年表示２２及び月表示２４は、シール３４の上に描かれる点で、図１に示す年表示２２及び月表示２４と相違する。図２の数字表示２６（１）及び円弧図形２８（１）は、シール３６(１)上に描かれ、数字表示２６（２）及び円弧図形２８（２）は、シール３６(２)上に描かれ、数字表示２６（３）及び円弧図形２８（３）は、シール３６(３)上に描かれ、数字表示２６（４）及び円弧図形２８（４）は、シール３６(４)上に描かれ、数字表示２６（５）及び円弧図形２８（５）は、シール３６(５)上に描かれる点で、図１に示す数字表示２６（１）及び円弧図形２８（１）等と相違する。図２の５個の円弧図形２８（１）〜２８（５）は、花びらの模式模様を表す。図２に示す年表示２２等は、上記相違以外は、図１に示す年表示２２等と同一の構成である。年表示２２及び月表示２４は、基台１６のいずれかの位置に表示される。
【００２８】
（時計３２）
図２のカレンダー１０は、５個の円弧図形２８（１）〜２８（５）に囲まれた時計３２を備える。時計３２は、アナログ時計であるが、デジタル時計であってもよい。
【００２９】
（作用及び効果）
図２の本願発明のカレンダー１０によれば、一の円弧図形は隣接する他の２個の円弧図形と接し、５個の円弧図形２８（１）〜２８（５）の内周に沿って、日を表す数字が順番に連続して表示されている。このため、月の最初の日表示である「１」から月の最後の日表示である「３１」まで、連続的に目で追っていくことができる。また、時の流れを感じることができる。
【００３０】
また、例えば、図１及び図２に示す上述のカレンダー１０において、５個の円弧図形２８（１）〜２８（５）は、時計回りに、青色、黄色、黒色、緑色、赤色の順に色彩を有してもよい。すなわち、円弧図形２８（１）は青色の色彩を有し、円弧図形２８（２）は黄色の色彩を有し、円弧図形２８（３）は黒色の色彩を有し、円弧図形２８（４）は緑色の色彩を有し、円弧図形２８（５）は赤色の色彩を有している。青色の円弧図形２８（１）の位置は、正面図において、上であることに限定されない。
【００３１】
また、本願発明は、図２のカレンダー１０において、図３（ａ）のカレンダー１０であってもよい。図３（ａ）のカレンダー１０は、図２のカレンダー１０に比して、時計３２が小さく構成され、円弧図形２８（１）、２８（２）、２８（３）、２８（４）及び２８（５）が大きく構成されている。また、図３（ａ）のカレンダー１０は、図２のカレンダー１０に比して、デジタル時計３２を備え、年表示２２及び月表示２４の位置が異なっている。
【００３２】
以上、本願発明の一実施形態について図面に基づいて説明したが、本願発明は図示した実施形態に限定されない。また、円弧図形の変形として、桜の花弁を模してもよい。本願発明において、円弧図形の色彩は、何ら限定されない。例えば、５個の円弧図形が同一色であってもよい。
【符号の説明】
【００３３】
１０：カレンダー
１６：画面（表示基材）
１６：基台（表示基材）
２２：年表示
２４：月表示
２６（１）、２６（２）、２６（３）、２６（４）、２６（５）：数字表示
２８（１）、２８（２）、２８（３）、２８（４）、２８（５）：円弧図形
３０：丸印
３２：時計
【要約】
【課題】日表示の読み取りが容易なカレンダーを提供することを目的とする。
【解決手段】本願発明のカレンダー１０を、年を数字で表示する年表示２２と、月を数字で表示する月表示２４と、１から月の最終日までの日を数字で表示する日表示と、を有するように構成した。日表示は、正５角形の頂点を中心とする５個の同一寸法の円弧図形２８（１）、２８（２）、２８（３）、２８（４）及び２８（５）を有し、一の円弧図形は隣接する他の２個の円弧図形と接し、日を表す数字が、５個の円弧図形の内周に沿って、１から小さい順に連続して表示されるように構成した。
【選択図】図１【図１】
0006815682.tif 000002
【図２】
0006815682.tif 000003
【図３】
0006815682.tif 000004